(57)【要約】【課題】施設を利用したい者や施設の所有者等が施設の状態を把握することができる評価システム、評価方法及びプログラムを提供する。【解決手段】評価システム１０は、取得部１１と、出力部１２とを備える。取得部１１は、施設５の機器５０からの情報を取得する。出力部１２は、機器５０から情報に基づいて得られる施設５の評価を出力する。施設５の所有者、運営業者は、施設５の評価を見ることで他の施設５との違いを把握する。施設５の利用を希望する者は、施設５の評価を利用して利用する施設５を検討する。【選択図】図１
2018173894.tif 000002
【特許請求の範囲】
【請求項１】
施設の機器からの情報を取得する取得部と、
前記機器からの前記情報に基づいて得られる前記施設の評価を出力する出力部とを備える
ことを特徴とする評価システム。
【請求項２】
前記施設の前記評価は、前記機器からの前記情報に基づいて得られる前記施設に設けられた前記機器の組み合わせに対する評価である
ことを特徴とする請求項１に記載の評価システム。
【請求項３】
前記機器からの前記情報は、前記施設の環境に係る環境情報を含み、
前記施設の前記評価は、前記環境情報に基づいて得られる前記施設の環境に対する評価である
ことを特徴とする請求項１又は２に記載の評価システム。
【請求項４】
前記施設の前記評価は、前記機器からの前記情報で得られる前記施設に関係する人の行動に基づいて得られる
ことを特徴とする請求項１に記載の評価システム。
【請求項５】
前記施設の前記評価は、前記施設の前記機器からの前記情報と、前記機器からの前記情報が得られる期間を表す時間情報とに基づいて得られる
ことを特徴とする請求項１〜４のいずれか一項に記載の評価システム。
【請求項６】
前記施設には、複数の前記機器が設置されており、
前記施設の前記評価は、前記複数の機器のうち少なくとも２つの機器の情報の組み合わせから得られる結果に基づいて得られる
ことを特徴とする請求項１〜５のいずれか一項に記載の評価システム。
【請求項７】
前記施設の前記評価は、複数の評価項目のうち少なくとも２つの評価項目に対する評価の組み合わせである
ことを特徴とする請求項１〜６のいずれか一項に記載の評価システム。
【請求項８】
施設の機器からの情報を取得する取得ステップと、
前記機器からの前記情報に基づいて得られる前記施設の評価を出力する出力ステップとを含む
ことを特徴とする評価方法。
【請求項９】
コンピュータシステムに、
施設の機器からの情報を取得する取得処理と、
前記機器からの前記情報に基づいて得られる前記施設の評価を出力する出力処理とを実行させるためのプログラム。
【発明の詳細な説明】
【技術分野】
【０００１】
本発明は、一般に評価システム、評価方法、及びプログラムに関し、より詳細には、施設を評価する評価システム、評価方法、及びプログラムに関する。
【背景技術】
【０００２】
従来、各家庭の消費電力量等から、その家庭でなされている行動を推定して情報を提供する技術が知られており、例えば特許文献１に開示されている。特許文献１に記載の行動分析装置は、行動特徴抽出部と、行動傾向推定部と、出力部とを備える。行動特徴抽出部は、複数日における時間帯別の特定の生活行動の発生有無に基づいて、複数日にわたる特定の生活行動の時間的な変化の特徴を抽出する。行動傾向推定部は、行動特徴抽出部が抽出した特徴に基づいて、特定の生活行動の傾向を推定する。出力部は、行動傾向推定部が推定した特定の生活行動の傾向に基づいて、特定の生活行動に関連するユーザに提供する情報を出力する。これにより、家庭（施設の定住者）の生活行動を推定し、その行動を評価することができる。
【先行技術文献】
【特許文献】
【０００３】
【特許文献１】特開２０１６−５８０２９号公報
【発明の概要】
【発明が解決しようとする課題】
【０００４】
特許文献１では、人の生活行動を推定することはできるが、施設そのものがどのような状態であるかを推定することができない。そのため、施設を利用したい者や、施設の所有者等が、施設がどのような状態であるかを把握することができない。
【０００５】
そこで、本発明は上記事由に鑑みてなされており、施設を利用したい者や施設の所有者等が施設の状態を把握することができる評価システム、評価方法及びプログラムを提供することを目的とする。
【課題を解決するための手段】
【０００６】
本発明の一態様に係る評価システムは、取得部と、出力部とを備える。前記取得部は、施設の機器からの情報を取得する。前記出力部は、前記機器からの前記情報に基づいて得られる前記施設の評価を出力する。
【０００７】
本発明の一態様に係る評価方法は、取得ステップと、出力ステップとを含む。前記取得ステップは、施設の機器からの情報を取得する。前記出力ステップは、前記機器からの前記情報に基づいて得られる前記施設の評価を出力する。
【０００８】
本発明の一態様に係るプログラムは、コンピュータシステムに、取得処理と、出力処理とを実行させるためのプログラムである。前記取得処理は、施設の機器からの情報を取得する。前記出力処理は、前記機器からの前記情報に基づいて得られる前記施設の評価を出力する。
【発明の効果】
【０００９】
本発明は、施設を利用したい者や施設の所有者等が施設がどのような状態であるかを把握することができる。
【図面の簡単な説明】
【００１０】
【図１】図１は、発明の一実施形態に係る評価システムの構成を示すブロック図である。
【図２】図２は、同上の評価システムを示すシステム構成図である。
【図３】図３は、同上の評価システムにおいて、機器リストを作成する際の動作を説明する流れ図である。
【図４】図４は、同上の評価システムにおいて、施設の評価を行う際の動作を説明する流れ図である。
【図５】図５は、同上の評価システムにおいて、施設の評価画面の一例を示す図である。
【図６】図６は、同上の評価システムにおいて、施設の評価画面の他の例を示す図である。
【発明を実施するための形態】
【００１１】
以下に説明する各実施形態及び変形例は、本発明の一例に過ぎず、本発明は、実施形態及び変形例に限定されない。この実施形態及び変形例以外であっても、本発明に係る技術的思想を逸脱しない範囲であれば、設計等に応じて種々の変更が可能である。
【００１２】
（実施形態）
（１）概要
以下、本実施形態の評価システム１０について図１、図２を用いて説明する。本実施形態の評価システム１０は、施設５を評価するシステムである。例えば、施設５が宿泊施設であれば、評価システム１０は、宿泊者が安心して宿泊できるための設備の有無、又は利用環境に基づいて宿泊施設を評価するシステムである。
【００１３】
本実施形態では、施設５の一例として、民泊サービスを提供する宿泊施設を挙げる。ここでいう「民泊」には、個人所有の施設５の宿泊施設としての賃貸と、法人による賃貸事業とのいずれもが含まれる。
【００１４】
本実施形態の評価システム１０は、施設５の外部に設置されたサーバ１、及び施設５に設置されたローカル装置４０を主構成として備えている。サーバ１及びローカル装置４０は、ネットワーク４を介して互いに通信可能に構成されている。ネットワーク４には、更に情報端末３が接続される。情報端末３は、ネットワーク４を介して、サーバ１との間で互いに通信可能に構成されている。
【００１５】
本実施形態の評価システム１０は、取得部１１と、出力部１２とを備えている。取得部１１は、施設５に用いられる機器から、当該機器に関する情報を取得する。本実施形態では、施設５に用いられる機器は、例えばローカル装置４０、スマートメータ５１、太陽光発電システム５２、電子錠５３、セキュリティカメラ５４、エアーコンディショナ５５、照明器具５６、騒音センサ５７、煙センサ５８である。また、施設５に用いられる機器には、上述した機器の他、人感センサ、温湿度センサ、給湯器、換気扇、空気清浄器、電動シャッター等も含まれる。また、施設５に用いられる機器には、蓄電システム、複数の電源を制御するシステムハイブリッド型の電源システム等も含まれる。つまり、施設５に用いられる機器は、電力を消費、生成又は蓄電する電気機器、及び利用者の状態を監視するセンサである。以下、個々の機器を特に区別しない場合は、各機器を単に「機器５０」という。
【００１６】
出力部１２は、施設５の評価を出力する。そして、施設５の評価は、取得部１１で取得した機器５０からの利用情報に基づいて得られる。つまり、本実施形態の評価システム１０は、施設５の利用者による機器５０の利用状況のデータ等を取得し、施設５にどのような機器５０が設けられているかを評価する。そして、本実施形態の評価システム１０は、施設５の評価を出力する。施設５の評価の出力先は、例えば施設５の所有者、施設５を用いたサービスの運営業者、施設５の利用希望者等である。これらの者は、施設５の評価を取得することで、その評価を把握することができる。このように、本実施形態の評価システム１０は、施設５の評価を、所有者、運営業者及び利用を希望する者が把握することができる。例えば、施設５の所有者及び運営業者が施設５の評価を把握することで、利用を希望する者によりよく利用してもらいための改善点（不足している設備）の把握が可能となる。また、利用を希望する者は、自身が所望する設備の有無を把握することで、宿泊候補の取捨選択が可能となる。
【００１７】
本実施形態の評価システム１０は、例えばコンピュータシステムにより実現される。本実施形態では、コンピュータシステムは、サーバ１及びローカル装置４０を備えている。また、本実施形態では、ローカル装置４０は、ルータ７を介してネットワーク４に接続されているが、ルータ７はコンピュータシステムに必須の構成ではない。
【００１８】
また、本実施形態の評価システム１０は、実際には、複数の施設５に導入される。複数の施設５には、それぞれ複数の機器５０が設置される。そして、これら複数の機器５０が、ネットワーク４を介してサーバ１に接続される。本実施形態では、説明を簡単にするために、１つの施設５に着目して説明する。
【００１９】
（２）詳細
以下、本実施形態に係る評価システム１０の構成について図１、図２を用いてより詳細に説明する。
【００２０】
本実施形態の評価システム１０は、上述したようにサーバ１及びローカル装置４０を主構成として備えている。更に、本実施形態では、情報端末３についても、評価システム１０の構成要素に含まれることとして説明する。
【００２１】
（２．２．１）サーバ
サーバ１は、ＣＰＵ（Central Processing Unit）、メモリ、及び通信インタフェースを有するコンピュータを主構成とする。サーバ１は、ネットワーク４を介してローカル装置４０との間で様々な情報を授受したり、ネットワーク４を介して情報端末３との間で様々な情報を授受したりする。
【００２２】
サーバ１は、図１に示すように、取得部１１と、出力部１２とを備えている。本実施形態では、出力部１２は、評価部１３を更に有している。また、本実施形態では、サーバ１は、通信部１４と、記憶部１５とを更に備えている。コンピュータを主構成とするサーバ１は、所定のプログラムを実行することにより、コンピュータを、取得部１１、出力部１２、評価部１３及び通信部１４として機能させる。
【００２３】
取得部１１は、施設５に用いられる機器５０から情報を取得する。ここでいう「機器５０からの情報」は、上述のように、施設５全体での消費電力量、又は施設５の特定の機器５０（例えば、エアーコンディショナ５５）での消費電力量等である。
【００２４】
本実施形態では、取得部１１は、ローカル装置４０からスマートメータ５１の計測データを定期的に（例えば、３０分間隔で）取得し、計測データを解析することによって、電気についての情報を取得する。つまり、スマートメータ５１の計測データを一定期間にわたって蓄積することで、施設５における幹線及び複数の分岐回路７０の各々について、消費電力量の時間経過に伴う変化（時系列データ）が観測される。ディスアグリゲーション（Disaggregation）の技術を適用すれば、このようにして得られる時系列データから、特定の機器５０の消費電力量を分離することできる。
【００２５】
また、本実施形態では、「機器５０からの情報」は、上述の消費電力量の他に、施設５に設置されている機器５０の動作確認の結果、又は機器５０としてのセンサからの検知結果等を含んでいる。
【００２６】
取得部１１は、ローカル装置４０からスマートメータ５１で計測された電気の使用量に関する計測値（計測データ）、及び騒音センサ５７等のセンサで検知された検知結果を定期的に取得する。また、取得部１１は、ローカル装置４０から施設５に設置されている機器５０に係る情報（例えば動作確認の結果）を定期的に取得する。
【００２７】
取得部１１は、幹線又はスマートメータ５１の消費電力（消費電力量）から、いわゆるディスアグリゲーション（Disaggregation）技術により、特定の分岐回路７０又は機器５０の消費電力（消費電力量）を抽出する。
【００２８】
出力部１２は、評価部１３で作成された施設５の評価を受けて、施設５の評価を出力する。ここでいう「施設５の評価」は、宿泊者が安心して宿泊できるための設備の有無、又は利用環境に基づいた評価である。出力部１２は、情報端末３からの要求に応じて、又は定期的に、通信部１４から情報端末３へ施設５の評価を出力する。本実施形態では、例えば施設５の利用を希望する者が所有する情報端末３Ａ、及び施設５の所有者又は運営業者が所有する情報端末３Ｂが、施設５の評価の出力（送信）先となる。また、送信先は、上述した情報端末に限らず、運営業者等のサーバであってもよい。
【００２９】
評価部１３は、機器５０からの情報に基づいて、施設５を評価する。つまり、評価部１３は、ネットワーク４に接続可能な設備としてどのような機器５０が施設５に設けられているかを分析し、分析結果に応じて施設５の評価を作成する。例えば、評価部１３による評価は、ネットワーク４に接続可能な機器５０が少ない程評価が低くなり、多い程評価が高くなる。
【００３０】
また、例えば、特定の機器５０が騒音センサ５７、煙センサ５８、人感センサ又は温湿度センサ等のようなセンサである場合、評価部１３は、所定の期間におけるセンサの監視状況に応じて、施設５、特に施設５の利用環境について評価する。例えば、評価部１３による利用環境についての評価は、施設５の環境が悪い程評価が低くなり、環境が良い程評価が高くなる。
【００３１】
また、施設５に電子錠５３が設けられている場合には、評価部１３は、セキュリティに関する評価は高くなるように評価を作成する。施設５に電子錠５３が設けられていない場合には、評価部１３は、セキュリティに関する評価は低くなるように評価を作成する。
【００３２】
通信部１４は、情報端末３及びローカル装置４０との通信を行うための通信インタフェースである。本実施形態では、通信部１４は、インターネット等のネットワーク４に接続されており、情報端末３及びローカル装置４０の各々との間で、ネットワーク４を介して双方向の通信を行う。
【００３３】
記憶部１５は、ローカル装置４０との通信により取得した各種データを記憶する。また、記憶部１５は、評価部１３で行われた施設５の評価結果を記憶する。さらに、記憶部１５は、評価部１３で行われる評価に必要なデータをも記憶している。
【００３４】
（２．２．２）ローカル装置
ローカル装置４０は、ＣＰＵ、メモリ、及び通信インタフェースを有するコンピュータを主構成とする。ローカル装置４０は、施設５に設置されている。ローカル装置４０は、いわゆるＨＥＭＳ（Home Energy Management System）コントローラであって、施設５に設置されているＨＥＭＳ対応の機器５０と通信し、機器５０の動作状態の監視及び制御を行う。
【００３５】
ローカル装置４０は、第１通信部４１と、第２通信部４２と、処理部４３と、を備えている。コンピュータを主構成とするローカル装置４０は、所定のプログラムを実行することにより、コンピュータを、第１通信部４１、第２通信部４２、及び処理部４３として機能させる。
【００３６】
第１通信部４１は、例えばイーサネット（登録商標）規格に準拠した通信インタフェースである。本実施形態では、第１通信部４１は、ルータ７を介してネットワーク４に接続されており、サーバ１との間で、ネットワーク４を介して双方向の通信を行う。
【００３７】
第２通信部４２は、主として施設５に設置される機器５０との通信を行うための通信インタフェースである。つまり、ローカル装置４０は、施設５に設置される機器５０との通信機能を有している。ローカル装置４０（第２通信部４２）と機器５０との間の通信方式は、例えば、有線通信である。ローカル装置４０は、第２通信部４２により施設５に設置される機器５０との間で通信を行うことにより、機器５０の動作確認を定期的に行う機能を有している。
【００３８】
なお、ローカル装置４０（第２通信部４２）と機器５０との間の通信方式は有線通信に限らず、Ｗｉ−Ｆｉ（登録商標）及び免許を必要としない小電力無線（特定小電力無線）等の無線通信であってもよい。この種の小電力無線については、用途等に応じて使用する周波数帯域や空中線電力等の仕様が各国で規定されている。日本国においては、９２０ＭＨｚ帯又は４２０ＭＨｚ帯の電波を使用する小電力無線が規定されている。
【００３９】
処理部４３は、スマートメータ５１との通信により、スマートメータ５１の計測データを取得する。スマートメータ５１から計測データを取得し、取得した計測データを記憶部に一時的に記憶する。処理部４３は、記憶部に蓄積されているスマートメータ５１の計測データを、定期的に第２通信部４２からサーバ１に送信する。
【００４０】
処理部４３は、機器５０の動作確認の結果、又は機器５０としてのセンサからの検知結果を、それぞれ対応する機器５０から受け取り、一時的に記憶する。処理部４３は、記憶している機器５０の動作確認の結果、又は機器５０としてのセンサからの検知結果を、定期的にサーバ１へ送信する。
【００４１】
また、本実施形態では、ローカル装置４０には、通信対象となる機器５０の情報を含む機器リストが記憶されている。具体的には、ローカル装置４０は、機器５０について、例えば、種別（スマートメータ５１、太陽光発電システム５２、電子錠５３等）、個々の機器５０を識別するための識別子（アドレス等）、及び機器５０の名称等の情報を機器リストに含めて記憶している。機器５０の名称については、情報端末３等を用いてユーザが任意に設定でき、基本的には、例えば「リビング北東側・エアコン」のように、機器５０が設置されている場所（エリア）と機器の種別との両方を特定可能な名称が設定される。上記の機器リストは、サーバ１からの要求により送信され、サーバ１に記憶される。なお、機器リストは、Ｅｃｈｏｎｅｔ-Ｌｉｔｅ（登録商標）等の通信規格に準拠した通信方式を用いてローカル装置４０が機器５０から取得した情報に基づいたリストであってもよい。また、機５０が追加された場合には、ローカル装置４０は、機器５０からの情報を取得して機器リストに追加してもよい。
【００４２】
（２．２．３）情報端末
情報端末３は、ユーザの操作を受け付ける機能、及びユーザに情報を提示（表示）する機能を有する端末である。情報端末３は、ＣＰＵ、メモリ、及び通信インタフェースを有するコンピュータを主構成とする。本実施形態では、施設５の利用を希望する者が所有する情報端末３Ａは、スマートフォンである。また、本実施形態では、所有者及び運営業者が所有する情報端末３Ｂは、パーソナルコンピュータである。
【００４３】
情報端末３は、通信部３３と、処理部３４と、を備えている。コンピュータを主構成とする情報端末３は、専用のアプリケーションソフトをインストールし、このアプリケーションソフトを起動することにより、コンピュータを、通信部３３、及び処理部３４として機能させる。また、情報端末３は、コンピュータからなる通信部３３及び処理部３４の他に、少なくとも、表示部３１及び操作部３２を有している。
【００４４】
表示部３１は、ユーザに情報を提示するための画面（画像等）を表示するように構成される。表示部３１は、例えば、液晶ディスプレイ、有機ＥＬ（Electro Luminescence）ディスプレイ等の画像表示装置により実現される。操作部３２は、人（ユーザ）の操作を受け付ける機能を有している。表示部３１及び操作部３２は、処理部３４に接続されている。これにより、表示部３１は、処理部３４から出力される映像信号に従って画面を表示でき、操作部３２が受け付けた操作に対応する電気信号が、処理部３４に入力されることになる。
【００４５】
本実施形態では、情報端末３Ａはタッチパネルディスプレイを搭載しており、タッチパネルディスプレイが表示部３１及び操作部３２として機能する。ただし、操作部３２は、タッチパネルディスプレイに限らず、例えばキーボードやポインティングデバイス、メカニカルなスイッチ等であってもよい。また、情報端末３Ｂの操作部３２は、キーボード及びポインティングデバイスである。
【００４６】
通信部３３は、ネットワーク４に接続されることにより、サーバ１と通信可能に構成される。ここでは、情報端末３Ａは、通信事業者が提供する携帯電話網（キャリア網）を介して、ネットワーク４に接続される。携帯電話網には、例えば３Ｇ（3rd Generation）回線、ＬＴＥ（Long Term Evolution）回線等がある。情報端末３Ａは、無線ＬＡＮ（Local Area Network）を介してネットワーク４に接続されてもよい。また、情報端末３Ｂは、有線ＬＡＮ又は無線ＬＡＮを介してネットワーク４に接続される。
【００４７】
処理部３４は、表示部３１を制御して表示部３１に画面を表示させる機能だけでなく、操作部３２からの電気信号を受けて動作するように構成されている。したがって、情報端末３は、操作部３２に対するユーザの操作に応じて、表示部３１に表示させる画面を変化させたり、機器５０の制御のために必要な指示情報を発生（生成）したりすることが可能である。
【００４８】
なお、情報端末３は、専用のアプリケーションソフトを用いて表示部３１に表示させる画面を閲覧する構成に限定されない。例えば、情報端末３は、画面をブラウザで閲覧してもよい。この場合、専用のアプリケーションソフトのインストールは不要である。
【００４９】
（３）評価システムの動作
以下、本実施形態の評価システム１０における施設５の評価を行う動作について、図３、図４の流れ図を用いて説明する。
【００５０】
まず、サーバ１の取得部１１は、宿泊施設である施設５に設けられ、サーバ１が直接又は間接的に情報が取得可能な機器５０の機器名を含む情報（機器情報）を含む機器リストを、複数の施設５のローカル装置４０に対して要求する（ステップＳ１）。
【００５１】
複数の施設５のローカル装置４０のそれぞれは、自機が記憶している機器リストを、サーバ１へ送信する（ステップＳ２）。
【００５２】
取得部１１は、複数のローカル装置４０から機器リストを取得すると、取得した機器リストのそれぞれを含む構成管理表として記憶部１５に記憶する（ステップＳ３）。以下の表１に、管理リストの一例を示す。管理リストは、“施設”と“接続機器”との組からなる。“施設”には、施設５の名称が含まれる。“接続機器”には、対応する施設で設置され、サーバ１が直接又は間接的に情報が取得可能な機器５０の一覧（機器リスト）が含まれる。サーバ１は、記憶部１５で構成管理表を記憶することで、施設５ごとに、サーバ１が直接又は間接的に情報が取得可能な機器５０を管理する。なお、サーバ１が機器リストを取得する処理（ステップＳ１〜Ｓ３）は定期的に行ってもよいし、サーバ１で入力された指示をトリガーとして行ってもよい。または、施設５の所有者又は運営業者の情報端末３Ｂで入力された指示をトリガーとして上記処理を行ってもよい。
【００５３】
【表１】
2018173894.tif 000003
【００５４】
例えば、施設５としてのＡ施設は、スマートメータ５１、セキュリティカメラ５４、電子錠５３、エアーコンディショナ５５、照明器具５６、太陽光発電システム５２を、サーバ１が直接又は間接的に情報が取得可能な機器５０として備えている。施設５としてのＥ施設は、サーバ１が直接又は間接的に情報が取得可能な機器５０を備えていない。表１の“−”は、対応する欄には何ら記憶（記載）されていないことを意味している。
【００５５】
次に、施設５の評価を行う際の評価システム１０の動作について説明する。本実施形態では、評価を行う際に用いるデータとして、以下の表２に示す施設評価表を記憶部１５に記憶している。さらには、上述した構成管理表も記憶している。表２の“−”は、表１の場合と同様に、対応する欄には何ら記憶（記載）されていないことを意味している。
【００５６】
【表２】
2018173894.tif 000004
【００５７】
施設評価表は、表２に示すように、評価値と、構成要件を含み、７段階の評価値（Ａ＋，Ａ−，Ａ，・・・）と、機器の組み合わせとを対応付けている。本実施形態では、評価値は、Ａ＋，Ａ−，Ａ，Ｂ＋，Ｂ−，Ｂ，Ｃであり、この順序で評価が下がっている。
【００５８】
評価部１３は、構成管理表と、施設評価表とを比較して、施設５ごとに施設５に設置された機器５０の組み合わせ（機器構成）についての評価（総合評価）を行う（ステップＳ１０，Ｓ１１）。例えば、施設５としてのＡ施設は、スマートメータ、セキュリティカメラ、電子錠、エアーコンディショナ、照明器具、太陽光発電機を備えている。そのため、構成管理表に含まれるＡ施設が備える機器５０の組み合わせと、施設評価表と照合する。評価部１３は、Ａ施設に対する評価結果として、評価値“Ａ＋”を得る。ここで、スマートメータ５１の有無による評価は、スマートメータ５１そのものに対する有無であってもよいし、スマートメータ５１からの情報を取得できる機器（スマートメータ関連機器）の有無であってもよい。また、スマートメータ５１の有無の評価には、スマートメータ５１又はスマートメータ関連機器の有無だけでなく、施設５の主幹や分岐回路の消費電力を計測する計測システムの有無で評価してもよい。スマートメータ５１（スマートメータ関連機器）、または計測システムが施設５に設置されることで、宿泊者による電力の使用量を監視することができる。そのため、宿泊者の利用状況を評価するためにも、施設５の所有者及び運営業者の観点からすると、スマートメータ５１を施設５に設置の有無によって施設５の評価が変わる。また、セキュリティカメラが施設５に設置されることで、近隣住民とのトラブルの有無を監視することができる。そのため、宿泊者の利用状況を評価するためにも、施設５の所有者及び運営業者の観点からすると、セキュリティカメラ５４の施設５に設置の有無によって施設５の評価が変わる。
【００５９】
評価部１３は、構成管理表に含まれるすべての施設５に対して評価を行うと、その評価結果を、以下の表３に示す評価結果表として、記憶部１５に格納する（ステップＳ１２）。表３は、表１と表２とを用いたＡ施設〜Ｅ施設のそれぞれの評価結果である。
【００６０】
【表３】
2018173894.tif 000005
【００６１】
出力部１２は、情報端末３からの要求に応じて、記憶部１５で記憶している施設評価表のデータを、情報端末３に出力（送信）する（ステップＳ１３）。情報端末３は、サーバ１から受け取った施設評価表を表示部３１で表示する。情報端末３の処理部３４は、通信部３３で受信したデータを処理することで評価画面１００を作成し、図５に示すように、作成した評価画面１００を表示部３１に表示させる。評価画面１００は、図５に示すように、施設５ごとの評価を含んでいる。施設５の所有者及び運営業者は、評価画面１００を、自身が管理（運営）する施設５の評価を把握するために利用することができる。また、利用を希望する者は、宿泊先を検討する際に評価画面１００を利用することができる。
【００６２】
また、評価部１３は、上述した評価（総合評価）を得るための基になる複数の項目（評価項目）ごとに評価可能である。評価項目として、例えばセキュリティ度、快適度、管理度等がある。
【００６３】
セキュリティ度は、例えば電子錠５３の設置の有無、及びセキュリティカメラ５４の設置の有無に基づいて評価される。評価部１３は、施設５に電子錠５３及びセキュリティカメラ５４の双方が設置されている場合には、セキュリティ度の評価として最も高い評価値（例えば、Ａ＋）を得る。評価部１３は、施設５に電子錠５３及びセキュリティカメラ５４の双方とも設置されていない場合には、セキュリティ度の評価として最も低い評価値（例えば、Ｃ）を得る。評価部１３は、施設５に電子錠５３及びセキュリティカメラ５４の一方のみが設置されている場合には、セキュリティ度の評価として中間の評価値（例えば、Ｂ＋）を得る。なお、評価部１３は、施設５に電子錠５３のみが設置されている場合と、セキュリティカメラ５４の一方のみが設置されている場合とで、セキュリティ度の評価を異なるようにしてもよい。
【００６４】
快適度は、例えばエアーコンディショナ５５の設置の有無に基づいて評価される。評価部１３は、施設５にエアーコンディショナ５５が設置されている場合には、快適度の評価として最も高い評価値（例えば、Ａ＋）を得る。評価部１３は、施設５にエアーコンディショナ５５が設置されていない場合には、快適度の評価として最も低い評価値（例えば、Ｃ）を得る。なお、快適度は、エアーコンディショナ５５の設置の有無だけでなく、ニオイセンサによるニオイの有無の検知、又は空気清浄器による空気質の検知に基づいて評価されてもよい。
【００６５】
管理度は、例えばスマートメータ５１の設置の有無に基づいて評価される。評価部１３は、施設５にスマートメータ５１が設置されている場合には、管理度の評価として最も高い評価値（例えば、Ａ＋）を得る。評価部１３は、施設５にスマートメータ５１が設置されていない場合には、管理度の評価として最も低い評価値（例えば、Ｃ）を得る。
【００６６】
評価部１３は、評価項目ごとの評価結果を、記憶部１５に記憶する。
【００６７】
出力部１２は、情報端末３からの要求に応じて、記憶部１５で記憶している複数の評価項目の評価結果のうち少なくとも１つの評価項目の評価結果を、情報端末３に送信して、情報端末３の表示部３１に表示させる。情報端末３の処理部３４は、通信部３３で受信したデータを処理することで評価画面２００を作成し、図６に示すように、作成した評価画面１００を表示部３１に表示させる。評価画面１００は、図６に示すように、複数の施設５についての評価項目の評価結果を含んでいる。施設５の所有者及び運営業者は、評価画面２００を、自身が管理（運営）する評価項目についての評価結果を把握するために利用することができる。また、利用を希望する者は、宿泊先を検討する際に最優先すべき評価項目に対する評価結果を知るために、評価画面２００を利用することができる。
【００６８】
また、評価部１３は、２つ以上の評価項目を組み合わせて、施設５の評価を行ってもよい。例えば、２つ以上の評価項目の平均値を施設５の評価値として施設５の評価を行う。評価部１３は、快適度の評価値がＡ＋であり、セキュリティの評価値がＣである場合には、施設５の評価値としてＢ＋を得る。また、評価部１３は、快適度の評価値がＡ＋であり、セキュリティ度の評価値がＢ＋である場合には、施設５の評価値としてＡ−、又はＡを得る。
【００６９】
また、評価部１３は、機器５０の情報を用いて施設５の利用環境について評価が可能である。例えば、評価部１３は、機器５０としてセンサからの情報に含まれる検知結果（環境情報）を用いて、施設５の利用環境について評価する。サーバ１が直接又は間接的に情報が取得可能なセンサとして、騒音センサ５７、温湿度センサ及び人感センサの少なくとも１つが施設５に設置されている場合を仮定する。騒音センサ５７が施設５の周辺において基準値以上の音圧レベルを検知した場合、睡眠環境に関する評価は低くなる。温湿度センサが、夜間、施設５において高温多湿を検知すると、睡眠環境に関する評価は低くなる。また、人感センサが夜間、施設５の周囲に頻繁に人を検知する程、セキュリティ環境に関する評価は低くなり、人を検知する頻度が低い程、セキュリティに関する評価は高くなる。
【００７０】
評価部１３は、施設５の利用環境についての評価結果を記憶部１５に記憶する。
【００７１】
出力部１２は、情報端末３からの要求に応じて、記憶部１５で記憶している施設５の利用環境についての評価結果を、情報端末３に送信して、情報端末３の表示部３１に表示させる。出力部１２は、利用環境についての評価結果として、睡眠環境、セキュリティ環境といった種々の環境ごとに表示してもよいし、種々の環境に対する評価結果に基づく総合的な評価結果を表示してもよい。
【００７２】
なお、評価部１３は、評価項目であるセキュリティ度の評価について、電子錠５３の設置の有無、及びセキュリティカメラ５４の設置の有無に基づく評価に加えて、上述したセキュリティ環境に関する評価を加えてもよい。また、評価部１３は、評価項目である快適度の評価について、エアーコンディショナ５５の設置の有無に基づく評価に加えて、上述した睡眠環境に関する評価を加えてもよい。
【００７３】
また、評価部１３は、機器５０の情報から施設５に関係する人（宿泊者、所有者（管理者）又は運営業者）の動き（行動）を判別し、判別した行動を基に施設５の評価を行ってもよい。人感センサが施設５に備えられている場合、人感センサから、夜間における宿泊者の動き（行動）を検知する。評価部１３は、人感センサが宿泊者の動きを頻繁に検知する場合には、心地よく眠れていないと判断し、施設５の快適度の評価を低くする。評価部１３は、人感センサが宿泊者の動きを頻繁に検知しない場合には、心地よく眠れていると判断し、施設５の快適度の評価を高くする。
【００７４】
また、セキュリティカメラ５４が施設５に備えられ、セキュリティカメラ５４で撮影された画像がサーバ１に送信される場合、評価部１３は、撮影された画像に管理人が含まれているか否かを判断する。評価部１３は、判断結果に応じて、施設５の評価を行う。例えば、撮影された画像に管理人が含まれている場合には施設５の評価は高く、含まれていない場合には施設５の評価は低い。
【００７５】
また、評価部１３は、ある機器の情報と別の機器の情報とを組み合わせて１つの結果を求めて、求めった結果を基に施設５の評価を行ってもよい。例えば、施設５に煙センサ５８とニオイセンサ（又は空気清浄器）とが設置されている場合について説明する。評価部１３は、煙センサ５８が煙を検知したことと、ニオイセンサが煙検知後に発生したニオイを検出しなくなったこととで、施設５の所有者（管理者）又は運営業者の対応を判断する。評価部１３は、判断結果を基に、施設５の評価を行う。なお、施設５の所有者（管理者）又は運営業者の対応を判断する際には、後述する検知時間情報を加味することが好ましい。
【００７６】
また、評価部１３は、機器５０の情報と、機器５０の情報の取得に関する期間を表す情報（時間情報）とに基づいて、施設５の評価を行ってもよい。例えば、宿泊者が料理を行うことで、その料理（食べ物）のニオイが施設５に充満することがある。このような場合、施設５の所有者又は運営業者は、ニオイを除去するための清掃等の対応を実施する。そこで、施設５にニオイセンサが設置されている場合には、評価部１３は、ニオイセンサで料理（食べ物）のニオイを検知してからそのニオイを検知しなくなるまでの時間を検知時間情報として、ニオイセンサの検知結果と組み合わせて施設５の評価を行ってもよい。料理（食べ物）のニオイを検知してから、そのニオイを検知しなくなるまでの時間が短い程、施設５の所有者又は運営業者の対応がよいと判断し、評価は高くなる。一方、料理（食べ物）のニオイを検知してから、そのニオイを検知しなくなるまでの時間が長い程、施設５の所有者又は運営業者の対応が悪いと判断し、評価は低くなる。評価部１３は、センサが第１検知結果を取得してから第２検知結果を取得するまでの期間を上述した時間情報（検知期間情報）として得ることで、施設５の所有者又は運営業者に対応に関する施設５の評価が可能となる。
【００７７】
また別の例として、評価部１３は、空気清浄器が設置されている場合には、空気清浄器による空気の汚れを検知してから汚れを検知しなくなるまでの時間を検知時間情報として、空気清浄器の検知結果と組み合わせて施設５の評価を行ってもよい。
【００７８】
また別の例として、家主が不在の施設を民泊施設として利用することができる期間（営業期間）が法令等で定まっている場合がある。このような場合、評価部１３は、機器５０の情報と営業期間とを用いて、施設５が法令等を順守しているか否かを判断し、その結果に基づいて施設５の評価を行う。例えば、サーバ１が直接又は間接的に情報が取得可能な照明器具５６が施設５に設置されている場合には、評価部１３は、照明器具５６の動作（オン、オフ）に係る情報から照明器具５６が動作している使用日数を時間情報として求める。また、サーバ１が直接又は間接的に情報が取得可能なスマートメータ５１が施設５に設置されている場合には、評価部１３は、スマートメータ５１の計測結果から電力が使用されている使用日数を求める。具体的には、待機電力を考慮する必要があるので、評価部１３は、所定量を超えて電力が使用されている日数を使用日数として求める。評価部１３は、求めた使用日数（時間情報）と営業期間とを比較して、法令等を順守しているかを判断する。例えば、使用日数が営業期間内である場合には施設５は法令等を順守していると判断し、使用日数が営業期間を超えている場合には施設５は法令等を順守していないと判断する。評価部１３は、判断結果に基づいて、施設５の評価を行う。法令を順守している場合には施設５の評価は高く、順守していない場合には施設５の評価は低い。評価部１３は、機器５０の動作に係る情報に関する時間情報として、機器５０が動作している期間（使用日数）を得ることで、法令等で定められた営業期間を基準とした施設５の評価が可能となる。
【００７９】
（４）他の適用例
上記実施形態では、民泊サービスを提供する宿泊施設に評価システム１０を適用した例について説明した。評価システム１０は、民泊サービスを提供する宿泊施設に限らず、ホテル、旅館等の宿泊施設に適用してもよい。また、これらの宿泊施設に限らず、飲食店、スポーツジム、サービス付高齢者住宅、病院、私立学校、遊戯施設及び駐車場等に適用してもよい。
【００８０】
施設の種別によって評価項目が異なる。宿泊施設では、セキュリティ、快適さ、電力の使用の有無について、評価を行うためサーバ１は、評価対象が宿泊施設であれば、上述した表２のような施設評価表を記憶部１５に記憶している。例えば、飲食店、私立学校等は、セキュリティ、快適さについて評価を行うことが好ましい。そのため、サーバ１は、表２の施設評価表とは異なる施設評価表を用いて飲食店、私立学校等の評価を行う。
【００８１】
飲食店、スポーツジム、サービス付高齢者住宅及び病院等の施設５において、タイムカードの勤怠を管理するタイムレコーダが設置され、サーバ１が直接又は間接的に情報が取得可能であるとする。この場合、評価部１３は、タイムレコーダで出勤時に打刻した回数で従業員の人数を推定する。評価部１３は、従業員の人数に基づいて施設５の評価を行う。従業員の人数に基づいた施設５の評価を利用者に提供する場合、従業員の人数が少ないと、サービスが行き届かない可能性があるため、施設５の評価は低くなる。従業員の人数が多いと、サービスが十分に行き届く可能性があるため、施設５の評価は高くなる。
【００８２】
飲食店、スポーツジム、サービス付高齢者住宅及び病院等の施設５において、ウェアラブルセンサのような利用者の活動量を検知するセンサを従業員が身に着ける。このとき、当該センサからの情報をサーバ1が直接又は間接的に取得可能であるとする。例えば、センサは、従業員の動き（移動量）、歩数等を検出し、サーバ１に送信する。サーバは、センサの検知結果を基づいて施設５の評価を行う。センサの検知結果を基づいて施設５の評価を行う場合、施設５を利用する利用者（お客、患者、高齢者等）に提供する評価と、施設５で働きたい者に提供する評価とは異なる。例えば、病院に対する評価について説明する。利用者（患者）に評価を提供する場合、従業員の移動量が多い程、十分なサービスを受ける可能性が高いため評価は高くなる。一方、従業員の移動量が少ない程、十分なサービスを受ける可能性が低いため評価は低くなる。一方、病院で働きたい者に評価を提供する場合、従業員の移動量が多い程、激務と考えられるため評価は低くなる。一方、従業員の移動量が少ない程、激務とは考えられないため評価は高くなる。
【００８３】
また、駐車場においては、例えばセキュリティカメラの設置の有無により、評価がされる。例えば、セキュリティカメラが設置されている場合には、防犯対策が施されているとして駐車場の評価は高くなる。逆に、セキュリティカメラが設置されていない場合には、防犯対策が施されていないとして駐車場の評価は低くなる。
【００８４】
（５）変形例
以下に、変形例について列記する。なお、以下に説明する変形例は、上記各実施形態と適宜組み合わせて適用可能である。
【００８５】
セキュリティカメラ５４は施設５の屋内又は屋外に設置される。そこで、評価部１３は、セキュリティカメラ５４が施設５の屋内に設置された場合の評価と、屋外に設置された場合の評価を異なるようにしてもよい。例えば、表１で示すＡ施設において、評価部１３は、セキュリティカメラ５４が屋内に設置されている場合には総合評価の評価値を“Ａ＋”とし、セキュリティカメラ５４が屋外に設置されている場合には総合評価の評価値を“Ａ−”とする。
【００８６】
上記実施形態では、サーバ１は、ネットワーク４を介して通信可能である施設５の機器５０すべての情報を直接又は間接的に取得する構成としたが、この構成に限定されない。サーバ１は、施設５の評価に必要な機器５０のみからの情報を直接又は間接的に取得する構成であってもよい。この場合、施設５のローカル装置４０は、サーバ１から送信の指定があった機器５０の情報のみを送信する。これにより、ローカル装置４０とサーバ１との間の通信トラフィックを軽減することができる。
【００８７】
上記実施形態では、サーバ１はローカル装置４０から機器５０の情報を取得することで、自動的に構成管理表（表１参照）を生成する構成としたが、この構成に限定されない。サーバ１は、情報端末３Ｂから所有者又は運営業者が入力した機器に係る情報（例えば、機器５０の名称等）を受け取り、構成管理表を生成する機能を、さらに有してもよい。
【００８８】
また、上記実施形態の情報端末３は、スマートフォン又はパーソナルコンピュータに限らず、タブレット端末等の携帯情報端末、又はスマートテレビ等のネットワーク４に接続可能な情報端末であってもよい。
【００８９】
また、上記実施形態において、施設５の評価に対する表示態様は、アルファベットに限らず、単なる数字の他、顔文字等の図形であってもよい。
【００９０】
また、上記実施形態において、評価システム１０は、情報端末３に総合評価（評価画面１００）を表示させる際に、評価項目ごとの評価結果も併せて表示させてもよい。
【００９１】
また、評価システム１０は、上記実施形態では、サーバ１、ローカル装置４０、及び情報端末３にて実現されているが、この構成に限らず、例えば、サーバ１、ローカル装置４０、及び情報端末３のうちの１つ又は２つの装置で実現されてもよい。例えば、取得部１１、出力部１２（評価部１３を除く）、評価部１３、及び記憶部１５のうちの少なくとも１つの機能が、ローカル装置４０、又は情報端末３に設けられてもよい。さらに、取得部１１、出力部１２（評価部１３を除く）、評価部１３、及び記憶部１５のうちの少なくとも１つの機能が、サーバ１、ローカル装置４０、及び情報端末３のうちの２つ以上の装置に分散して設けられてもよい。また、サーバ１、ローカル装置４０、及び情報端末３の各々の機能が、複数の装置に分散して設けられていてもよい。例えば、サーバ１の機能が複数の装置（サーバ）に分散して設けられる場合には、取得部１１と出力部１２とが別々の装置に設けられてもよい。つまり、サーバ１の機能を、構成管理表を記憶する機能を有する第１サーバと、評価を行う機能を有する第２サーバとに分散してもよい。
【００９２】
さらに、コンピュータシステムが、情報端末３、ローカル装置４０、及びサーバ１を備えることは必須ではない。コンピュータシステムは、例えば、情報端末３とローカル装置４０とサーバ１とのうちの少なくとも１つの装置によって構成されてもよい。評価システム１０の少なくとも一部の機能は、例えば、クラウド（クラウドコンピューティング）によって実現されてもよい。
【００９３】
（６）評価システム以外の具現手段
上述した本実施形態に係る評価システム１０と同等の機能は、システムという手段に限らず、下記の各手段によっても具現化することができる。下記の各手段によって本実施形態に係る評価システム１０が具現化される場合でも、上述した種々の構成、及び変形例を適宜組み合わせて適用可能である。
【００９４】
（６．１）評価方法
本実施形態に係る評価方法は、取得ステップと、出力ステップとを含む。取得ステップは、施設５の機器５０からの情報を取得するステップである。出力ステップは、取得した情報に基づいて得られる施設５の評価を出力するステップである。施設５の所有者、運営業者又は利用を希望する者は、施設５の評価を見ることで、施設５の状態を把握する。
【００９５】
このような評価方法は、例えばコンピュータシステムの１つ又は複数のコンピュータにおいて、ＣＰＵがプログラムを実行することによって実現される。
【００９６】
（６．２）プログラム
本実施形態に係るプログラムは、コンピュータシステムに、取得処理と、出力処理とを実行させるためのプログラムである。取得処理は、施設５の機器５０からの情報を取得する処理である。出力処理は、取得した情報に基づいて得られる施設５の評価を出力する処理である。施設５の所有者、運営業者又は利用を希望する者は、施設５の評価を見ることで、施設５の状態を把握する。
【００９７】
このようなプログラムは、例えばコンピュータシステムの１つ又は複数のコンピュータにて実行される。プログラムは、インターネット等の電気通信回線を通じて、又はメモリカード等の記録媒体に記録されて提供されてもよいし、コンピュータのメモリに予め記録されていてもよい。
【００９８】
（まとめ）
以上説明したように、第１の態様の評価システム１０は、取得部１１と、出力部１２とを備える。取得部１１は、施設５の機器５０からの情報を取得する。出力部１２は、機器５０からの情報に基づいて得られる施設５の評価を出力する。
【００９９】
この構成によると、施設５の評価の出力先のユーザ、例えば施設５の所有者、施設５を用いたサービスの運営業者、施設５の利用希望者等は、施設５の評価を取得することで、その評価を把握することができる。例えば、施設５の所有者及び運営業者が施設５の評価を把握することで、利用希望者によりよく利用してもらいための改善点（例えば、不足している設備）の把握が可能となる。また、利用希望者は、施設５の評価を参考にして利用する施設５を選択することが可能となる。
【０１００】
第２の態様の評価システム１０では、第１の態様において、施設５の評価は、機器５０からの情報に基づいて得られる施設における機器５０の組み合わせに対する評価である。
【０１０１】
この構成によると、施設５の評価の出力先のユーザ（施設５の所有者、施設５を用いたサービスの運営業者、施設５の利用希望者等）は、施設５の機器５０の組み合わせに対する評価を取得することで、施設５に設けられた機器５０の充実度を把握することができる。例えば、利用希望者は、自身が所望する設備の有無を把握することで、宿泊候補の取捨選択が可能となる。
【０１０２】
第３の態様の評価システム１０では、第１又は第２の態様において、機器５０からの情報は、施設５の環境に係る環境情報を含んでいる。施設５の評価は、環境情報に基づいて得られる施設５の環境に対する評価である。
【０１０３】
この構成によると、施設５の評価の出力先のユーザ（施設５の所有者、施設５を用いたサービスの運営業者、施設５の利用希望者等）は、施設５の環境に対する評価を取得することで、施設５内外の環境を把握することができる。例えば、施設５の所有者及びサービスの運営業者は、施設５の周囲の騒音の有無、及び夜間の就寝時の快適さ等を知ることができるので、騒音対策、就寝時に快適に過ごせるような対策をとることができる。また、施設５の利用希望者は、施設５の環境に対する評価を参考にして利用する施設５を選択することが可能となる。
【０１０４】
第４の態様の評価システム１０では、第１の態様において、施設５の評価は、機器５０からの情報で得られる施設５に関係する人の行動に基づいて得られる。
【０１０５】
この構成によると、施設５の評価は、施設５に関係する人の行動に基づいている。そのため、例えば、施設５の利用希望者は、施設５に居る人の行動を把握することで、施設５におけるサービス度（てきぱきと動いて接客等を行っている）等を推察することができる。
【０１０６】
第５の態様の評価システム１０では、第１〜第４のいずれかの態様において、施設５の評価は、施設５の機器５０からの情報と、機器５０からの情報が得られる期間を表す時間情報とに基づいて得られる。
【０１０７】
この構成によると、施設５の評価は、施設５の機器５０からの情報と、所定の期間を表す時間情報とに基づいている。例えば、機器５０からの情報が機器５０の動作に係る情報である場合、当該情報から機器５０が動作している動作期間（日数）を得ることができるので、評価システム１０は、動作期間と時間情報との関係から施設５の評価を行うことができる。例えば、施設５が民泊施設である場合と仮定する。民泊施設として利用できる期間が定められている場合、評価システム１０は、機器５０の動作期間と、時間情報（民泊施設として利用できる期間）とから定められた期間内で運用しているか否かを判断することができる。評価システム１０は、この判断結果を基に施設５の評価を行うことが可能となる。施設５の利用希望者は、評価結果を基に、定められた期間内で運用している健全な施設５であるか否かを把握することができる。
【０１０８】
第６の態様の評価システム１０では、第１〜第５のいずれかの態様において、施設５には、複数の機器５０が設置されている。施設５の評価は、複数の機器５０のうち少なくとも２つの機器５０の情報の組み合わせから得られる結果に基づいて得られる。
【０１０９】
この構成によると、施設５の評価は、複数の機器５０のうち少なくとも２つの機器の情報の組み合わせから得られる結果に基づいている。例えば、２つの機器５０がともにセンサである場合には、２つのセンサの検知結果から施設５の管理者の行動を推測することが可能となる。評価システム１０は、推測される管理者の行動を基に施設５の評価を行うことができる。
【０１１０】
第７の態様の評価システム１０では、第１〜第６のいずれかの態様において、施設５の評価は、複数の評価項目のうち少なくとも２つの評価項目に対する評価の組み合わせである。
【０１１１】
この構成によると、施設５の評価は、数の評価項目のうち少なくとも２つの評価項目に対する評価の組み合わせに基づいている。そのため、評価システム１０は、施設５の評価を知りたい者が重要視する２つ以上の項目で施設５の評価を行うことができる。つまり、評価システム１０において、施設５の評価に柔軟性を持たせることができる。
【０１１２】
第８の態様の評価方法は、取得ステップと、出力ステップとを含む。取得ステップは、施設５の機器５０からの情報を取得する。出力ステップは、機器５０からの情報に基づいて得られる施設５の評価を出力する。
【０１１３】
この評価方法によると、施設５の評価の出力先のユーザ、例えば施設５の所有者、施設５を用いたサービスの運営業者、施設５の利用希望者等は、施設５の評価を取得することで、その評価を把握することができる。
【０１１４】
第９の態様のプログラムは、コンピュータシステムに、取得処理と、出力処理とを実行させるためのプログラムである。取得処理は、施設５の機器５０からの情報を取得する。出力処理は、機器５０からの情報に基づいて得られる施設５の評価を出力する。
【０１１５】
このプログラムによると、施設５の評価の出力先のユーザ、例えば施設５の所有者、施設５を用いたサービスの運営業者、施設５の利用希望者等は、施設５の評価を取得することで、その評価を把握することができる。
【符号の説明】
【０１１６】
１    サーバ
３    情報端末
５    施設
１０    評価システム
１１    取得部
１２    出力部
４０    ローカル装置
５０    機器
５１    スマートメータ
５２    太陽光発電システム
５３    電子錠
５４    セキュリティカメラ
５５    エアーコンディショナ
５６    照明器具
５７    騒音センサ
５８    煙センサ
【図１】
2018173894.tif 000006
【図２】
2018173894.tif 000007
【図３】
2018173894.tif 000008
【図４】
2018173894.tif 000009
【図５】
2018173894.tif 000010
【図６】
2018173894.tif 000011